(57)【要約】【課題】用紙トレイに大量の記録用紙が積載された場合であっても、記録用紙を確実に給紙できる給紙装置を提供すること。【解決手段】給紙ローラ１１を回転させることで記録用紙Ｋが給紙ローラ１１から押圧される圧力によりコイルバネ１４の付勢力を減じることによって、一対のセット台１３が給紙ローラ１１と離間する方向に移動可能に構成されている。従って、一対のセット台１３を給紙ローラ１１と離間する方向に移動させるので、一対のセット台１３と給紙ローラ１１との重なり量（オーバラップ量）を少なくできる。よって、下端が給紙ローラ１１に当接する上層側の記録用紙Ｋを一対のセット台１３の側壁１３ｂと給紙ローラ１１と間に配置できるので、給紙ローラ１１の空送または重送を防止でき、給紙ローラ１１によって記録用紙Ｋを確実に給紙できる。【選択図】図５
2010235268.tif 000002
【特許請求の範囲】
【請求項１】
複数枚の用紙を傾斜した姿勢の状態で積載する用紙トレイを備え、その用紙トレイに積載される用紙を給紙する給紙装置において、
最上層に積載される用紙の下端側と対向配置され前記用紙を給紙する給紙ローラと、
その給紙ローラの軸方向に用紙が変形可能な所定間隔を空けて前記用紙トレイの下方に配置され前記用紙トレイに積載される用紙の下端を上面で支持する一対のセット台と、
前記給紙ローラを回転させることで前記用紙が前記給紙ローラから押圧される圧力に応じて、前記一対のセット台を前記給紙ローラから離間する方向に移動させる移動機構とを備えていることを特徴とする給紙装置。
【請求項２】
前記移動機構は、前記圧力に応じて前記一対のセット台を前記給紙ローラから離間させる方向に圧縮する弾性部材によって構成されていることを特徴とする請求項１記載の給紙装置。
【請求項３】
前記一対のセット台が載置されるベースと、
そのベースの前記給紙ローラ側とは反対側の縁部から立設する立壁とを備え、
前記一対のセット台は、前記上面の前記給紙ローラ側の縁部から垂下する側壁を有し、その側壁と前記立壁とに対向する面が開放されて構成されており、
前記弾性部材は、その一端側が前記立壁、他端側が前記側壁の内面に連結されているコイルバネによって構成されていることを特徴とする請求項２記載の給紙装置。
【請求項４】
前記一対のセット台が前記給紙ローラ側に向けて移動する経路上に配置され、前記給紙ローラ側に向けて移動する前記一対のセット台と衝突して、前記給紙ローラに対する前記一対のセット台の位置を規制する規制部材を備えていることを特徴とする請求項１から３のいずれかに記載の給紙装置。
【請求項５】
請求項１から４のいずれかに記載の給紙装置と、その給紙装置によって給紙される用紙に画像を記録する記録装置とを備えていることを特徴とする画像記録装置。
【発明の詳細な説明】
【技術分野】
【０００１】
本発明は給紙装置に関し、特に、用紙トレイに大量の用紙が積載された場合であっても、用紙を確実に給紙できる給紙装置に関するものである。
【背景技術】
【０００２】
プリンタ、ファクシミリ等の印刷装置には、給紙装置が設けられる。特許文献１に、従来の給紙装置が開示されている。従来の給紙装置１には、用紙トレイ７に記録用紙３がその給紙方向先端を斜め下方に向けた状態で積載され、その用紙トレイ７の下端部に隣接するように給紙ローラ１３が配置され、その給紙ローラ１３の軸方向に沿って複数のセット部４２がそれぞれ所定間隔を空けて並設されている。そして、用紙トレイ７に積載されセット部４２に先端が当接する記録用紙３は、給紙ローラ１３が回転駆動することにより、給紙方向に搬送される。また、給紙ローラ１３の軸方向視で給紙ローラ１３と重なるように配置されるので、記録用紙３の先端が当接するセット部４２は、給紙ローラ１３が回転駆動する前にセット部４２と給紙ローラ１３との間に記録用紙３が入り込まないようなっている。
【先行技術文献】
【特許文献】
【０００３】
【特許文献１】特開２００６−００８３３０（図６等）
【発明の概要】
【発明が解決しようとする課題】
【０００４】
しかしながら、上述した従来の給紙装置１では、記録用紙３の先端が当接するセット部４２が給紙ローラ１３の軸方向視で給紙ローラ１３と重なるように固定配置されるので、用紙トレイ７に積載される記録用紙３の量が多くなると、上層側の記録用紙３（給紙ローラ１３側の記録用紙３）の先端がセット部４２ではなく給紙ローラ１３に当接する。
【０００５】
かかる給紙ローラ１３に先端が当接する記録用紙３は、給紙ローラ１３が回転すると、給紙ローラ１３により押圧され変形することにより、給紙ローラ１３とセット部４２との間に入り込むが、用紙トレイ７に大量の記録用紙３が積載されると、給紙ローラ１３に先端が当接する記録用紙３の量が多くなり、給紙ローラ１３の回転によって給紙ローラ１３とセット部４２との間に入り込む記録用紙３の量も多くなる。
【０００６】
よって、給紙ローラ１３が記録用紙３を押圧する圧力が大きくなり、記録用紙３間に発生する摩擦力も大きくなる。これにより、給紙ローラ１３が記録用紙３を押圧する圧力によっては最上層の記録用紙３を、その最上層の記録用紙３に接触する下層の記録用紙３から分離できず、最上層の記録用紙３が給紙ローラ１３とセット部４２との間を通過できなくなる。従って、給紙ローラ１３が最上層の記録用紙３の紙面上をスリップし給紙ローラ１３が空送する。または、最上層の記録用紙３から分離できなかった複数枚の記録用紙３が最上層の記録用紙３と共に給紙される重送が発生する。結果として、用紙トレイ７に大量の記録用紙３が積載された場合に記録用紙３を安定して給紙できないという問題点があった。
【０００７】
本発明は上述した問題点を解決するためになされたものであり、用紙トレイに大量の用紙が積載された場合であっても、用紙を確実に給紙できる給紙装置を提供することを目的としている。
【課題を解決するための手段】
【０００８】
この目的を達成するために、請求項１記載の給紙装置は、複数枚の用紙を傾斜した姿勢の状態で積載する用紙トレイを備え、その用紙トレイに積載される用紙を給紙するものであって、最上層に積載される用紙の下端側と対向配置され前記用紙を給紙する給紙ローラと、その給紙ローラの軸方向に用紙が変形可能な所定間隔を空けて前記用紙トレイの下方に配置され前記用紙トレイに積載される用紙の下端を上面で支持する一対のセット台と、前記給紙ローラを回転させることで前記用紙が前記給紙ローラから押圧される圧力に応じて、前記一対のセット台を前記給紙ローラから離間する方向に移動させる移動機構とを備えている。
【０００９】
請求項２記載の給紙装置は、請求項１記載の給紙装置において、前記移動機構は、前記圧力に応じて前記一対のセット台を前記給紙ローラから離間させる方向に圧縮する弾性部材によって構成されている。
【００１０】
請求項３記載の給紙装置は、請求項２記載の給紙装置において、前記一対のセット台が載置されるベースと、そのベースの前記給紙ローラ側とは反対側の縁部から立設する立壁とを備え、前記一対のセット台は、前記上面の前記給紙ローラ側の縁部から垂下する側壁を有し、その側壁と前記立壁とに対向する面が開放されて構成されており、前記弾性部材は、その一端側が前記立壁、他端側が前記側壁の内面に連結されているコイルバネによって構成されている。
【００１１】
請求項４記載の給紙装置は、請求項１から３のいずれかに記載の給紙装置において、前記一対のセット台が前記給紙ローラ側に向けて移動する経路上に配置され、前記給紙ローラ側に向けて移動する前記一対のセット台と衝突して、前記給紙ローラに対する前記一対のセット台の位置を規制する規制部材を備えている。
【００１２】
請求項５記載の給紙装置は、請求項１から４のいずれかに記載の給紙装置と、その給紙装置によって給紙される用紙に画像を記録する記録装置とを備えている。
【発明の効果】
【００１３】
請求項１記載の給紙装置によれば、一対のセット台は給紙ローラの軸方向に用紙が変形可能な所定間隔を空けて配置されている。ここで、用紙トレイに大量の用紙が傾斜した姿勢の状態で積載されると、上層側の用紙の下端が一対のセット台で支持されず給紙ローラに当接する。上層側の用紙の下端が給紙ローラに当接した状態で給紙ローラを回転させると、給紙ローラを回転させることで用紙が給紙ローラから押圧される圧力に応じて、一対のセット台は、移動機構により給紙ローラと離間する方向に移動される。
【００１４】
よって、給紙ローラの軸心方向から視てセット台と給紙ローラとの間に隙間がある場合はその隙間が移動前に比べて大きくなり、または、給紙ローラの軸心方向から視てセット台と給紙ローラとが重なっている場合はその重なり量（オーバラップ量）が移動前に比べて減少（消滅する場合および隙間が発生する場合も含む）するので、移動前に比べて給紙ローラと一対のセット台との間に入り込む場合における用紙の変形量が減少（変形しない場合も含む）し、給紙ローラによって用紙を押圧する圧力が小さくなる。よって、最上層の用紙と、その用紙と接する下層の用紙との間に発生する紙間の摩擦力が小さくなるので、給紙ローラによって最上層の用紙を下層の用紙から分離できる。従って、用紙トレイに大量の用紙が積載された場合であっても給紙ローラの空送または重送が発生するのを防止でき、給紙ローラによって用紙を確実に給紙できるという効果がある。
【００１５】
また、用紙が普通紙より厚い厚紙で構成されると、厚紙は普通紙に比べて変形し難いので、一対のセット台と給紙ローラとの間に隙間がない（給紙ローラの軸心方向から視てセット台と給紙ローラとが重なっている）場合、または、かかる隙間があっても、その隙間が用紙の厚みより小さい場合は、用紙は給紙ローラと一対のセット台との間に変形しながらうまく入り込めない。これに対して、一対のセット台は、給紙ローラを回転させることで用紙が給紙ローラから押圧される圧力に応じて、移動機構により給紙ローラと離間する方向に移動される。よって、給紙ローラの軸心方向から視てセット台と給紙ローラとが重なっている場合は、その重なり量（オーバラップ量）が減少してセット台と給紙ローラとの間に隙間が発生し、または、セット台と給紙ローラとの間の隙間が用紙の厚みより小さい場合はその隙間が用紙の厚みと同一以上となるので、用紙は変形しなくても給紙ローラと一対のセット台との間に入り込むことができる。従って、用紙が厚紙等の場合であっても、給紙ローラの空送を防止でき、給紙ローラによって用紙を確実に給紙できるという効果がある。
【００１６】
請求項２載の給紙装置によれば、請求項１記載の給紙装置の奏する効果に加えて、移動機構は、弾性部材によって構成され、給紙ローラを回転させることで用紙が給紙ローラから押圧される圧力に応じて、弾性部材が圧縮されるので、一対のセット台は給紙ローラから離間する方向に移動する。給紙ローラから離間する方向に移動した一対のセット台に作用する圧力が弾性部材の弾性復元力より小さくなると、弾性部材がその弾性復元力により伸長し、一対のセット台は給紙ローラの軸方向視で給紙ローラと重なるように配置される。従って、弾性部材の弾性復元力を利用して一対のセット台を復帰させるので、給紙ローラと離間する方向に移動されたセット台を元の位置に戻すための機構を別途形成する必要がない。よって、給紙装置全体の構造を簡易化できるという効果がある。
【００１７】
請求項３記載の給紙装置によれば、請求項２記載の給紙装置の奏する効果に加えて、コ弾性部材がコイルバネで構成されるので、一対のセット台は給紙ローラから離間する方向へ移動可能に構成される。よって、一対のセット台は、その一対のセット台が載置されるベースの給紙ローラとは反対側の縁部から立設されコイルバネの一端側が連結される立壁との間に、一対のセット台の移動距離以上の隙間が必要とされる。かかる隙間を小さくすればするほど、ベースの小型化が図れるが、かかる隙間を小さくすると、一対のセット台を移動させるコイルバネの収容スペースも小さくなる。よって、コイルバネの長さが短尺化し、コイルバネの組み付け性が悪化する。
【００１８】
これに対して、一対のセット台は、その上面の給紙ローラ側の縁部から垂下される側壁とベースの立壁とに対向する面が開放され、コイルバネの他端がセット台の側壁の内面に連結されるので、コイルバネを一対のセット台の内部に収容できる。よって、ベースの立壁と一対のセット台との間の隙間を小さく設定した場合であっても、一対のセット台の内部にコイルバネを収容しない場合に比べて長尺のバネを使用できる。従って、ベースの立壁と一対のセット台との隙間を小さく設定してベースの小型化を図りつつ、一対のセット台の内部のスペースを利用してコイルバネの組み付け性を向上できるというという効果がある。
【００１９】
請求項４記載の給紙装置によれば、請求項１から３のいずれかに記載の給紙装置の奏する効果に加え、給紙ローラと離間する方向に移動した一対のセット台が復帰（給紙ローラ側に向けて移動）する場合に、一対のセット台は、給紙ローラ側に向けて移動する移動経路上に配置される規制部材に衝突し、その移動が規制される。よって、一対のセット台が元の位置に確実に戻されるので、元の位置より給紙ローラ側に移動することを防止できる。従って、一対のセット台と給紙ローラとが給紙ローラの軸心方向から視て重なるように配置された場合であっても、セット台と給紙ローラとの重なり量（オーバラップ量）が元の位置の場合より大きくなるのを防止できるので、給紙ローラによって用紙を確実に給紙できるという効果がある。
【００２０】
請求項５記載の給紙装置によれば、請求項１から４のいずれかに記載の給紙装置の奏する効果に加え、用紙トレイに大量の用紙が積載された場合であっても給紙ローラの空送または重送が発生するのを防止できるので、給紙ローラによって用紙を確実に給紙できる。その確実に給紙された用紙に画像が印刷装置によって記録されるので、印刷装置によって記録される画像の品質を確保できるという効果がある。
【図面の簡単な説明】
【００２１】
【図１】本発明の実施の形態におけるファクシミリ装置の内部状態を示す断面図である。
【図２】（ａ）は給紙ローラ及びセット台を配置した状態を示す給紙装置の斜視図であり、（ｂ）は給紙ローラ及びセット台を取り外した状態を示す給紙装置の斜視図である。
【図３】（ａ）は、給紙ローラと一対のセット台とが給紙ローラの軸方向視で重なる初期位置に位置する本体の上面図であり、図３（ｂ）は、セット台の上面図であり、図３（ｃ）は、図３（ｂ）のＩＩＩｃ方向から視たセット台の側面図であり、図３（ｄ）は、図３（ｃ）のＩＩＩｄ―ＩＩＩｄ線におけるセット台の断面図である。
【図４】（ａ）は、セット台が初期位置に移動した状態を示す給紙装置の上面図であり、（ｂ）は、セット台が給紙ローラと離間する方向に移動した状態を示す給紙装置の上面図であり、（ｃ）は、ＩＶｃ―ＩＶｃ線における給紙装置の断面図であり、（ｄ）は、ＩＶｄ―ＩＶｄ線における給紙装置の断面図である。
【図５】（ａ）は、記録用紙が搬送される前の状態を示した給紙装置の断面図であり、（ｂ）は、記録用紙のうち最上層の記録用紙が搬送される状態を示した給紙装置の断面図であり、（ｃ）は、図５（ｂ）のＶｃで示す部分を拡大した給紙装置の拡大断面図であり、（ｄ）は、図５（ｃ）Ｖｄ―Ｖｄ線で示す給紙装置の断面図である。
【発明を実施するための形態】
【００２２】
以下、本発明の好ましい実施の形態について、添付図面を参照して説明する。図１は、本発明の本発明の実施の形態におけるファクシミリ装置１の内部状態を示す断面図であり、原稿Ｇが二点鎖線で図示され、記録用紙Ｋの搬送経路が二点鎖線で示す矢印で図示されている。また、図１のＸで示す部分が拡大図示されている。
【００２３】
先ず、図１を参照して本発明の実施の形態におけるファクシミリ装置１の構成について概略説明する。ファクシミリ装置１は、原稿Ｇから画像等を読取り、その画像データをファクシミリデータとして電話回線等の通信回線を介して他のファクシミリ装置に送信すると共に、電話回線等の通信回線を介して他のファクシミリ装置から送信されたファクシミリデータを受信して記録用紙Ｋにその画像を形成するものであって、上面開放された本体２と、その本体２の上面を覆い本体２に上下回動可能に枢着される上カバー体３と、その上カバー体３の上面に配置される操作パネル４と、複数枚の記録用紙Ｋを傾斜した姿勢の状態で積載する用紙トレイ５を有しその用紙トレイ５に積載される記録用紙Ｋを給紙する給紙装置１０と、その給紙装置１０により給紙された記録用紙ＫをインクリボンＲにより印刷する印刷装置７とを備えて構成されている。
【００２４】
本体２には、その上面に取付凹部２ａ（図２（ａ）参照）が凹設され、後述する給紙ローラ１１に対向配置される板バネ収容部２ｂが突設され、その板バネ収容部２ｂの両側に配置される凹部２ｃ（図２（ｂ）参照）が凹設されている。
【００２５】
用紙トレイ５は、複数枚の記録用紙Ｋを傾斜した姿勢の状態で積載するものであり、用紙トレイ５から突設された挿入部（図示せず）が本体２の取付凹部２ａ（図２参照）に挿入されることにより本体２に対して脱着可能に配置される。なお、用紙トレイ５に積載される最下層の記録用紙Ｋと用紙トレイ５との間には隙間が生じている。
【００２６】
次に、図２を参照して給紙装置１０について詳しく説明する。図２（ａ）は、後述する給紙ローラ１１及びセット台１３を配置した状態を示す給紙装置１０の斜視図であり、図２（ｂ）は、後述する給紙ローラ１１及びセット台１３を取り外した状態を示す給紙装置１０の斜視図である。図２（ａ）において、Ｙで示す部分が拡大図示されている。また、図２（ｂ）において、本体２の一部の図示が省略され、後述するコイルバネ１４及びセット台１３の分解状態が図示されている。
【００２７】
給紙装置１０は、上述した用紙トレイ５（図１参照）と、用紙トレイ５に傾斜した姿勢の状態で積載される記録用紙Ｋ（図１参照）のうち最上層に配置される記録用紙Ｋと対向配置される給紙ローラ１１と、その給紙ローラ１１に対向配置される一対の板バネ部材１２と、その一対の板バネ部材１２の両側で用紙トレイ５の下方（図２（ａ）下方）に配置される一対のセット台１３と、一対のセット台１３が配置される凹部２ｃと、一対のセット台１３に連結されるコイルバネ１４と、給紙ローラ１１の下方に配置され給紙ローラ１１の周面にバネ１６（図１参照）で付勢された分離パッド１５とで構成される。
【００２８】
図２（ａ）に示すように、給紙ローラ１１は、記録用紙Ｋ（図１参照）を給紙するためのローラ部材であり、本体２に軸支された回転軸１１ａにより本体２に回動（回転）可能に支持されている。
【００２９】
図２（ｂ）に示すように、一対の板バネ部材１２は、回転軸１１ａに直交し給紙ローラ１１の両端面から等しい距離に設定される中心線Ｌ１（図３参照）に対して対称に配置され、本体２の板バネ収容部２ｂに給紙方向の上流端を支点として下流端側が揺動可能な状態で収容される。また、各板バネ部材１２は、上流端（固定端）から斜め下方向に向けて、かつセット台１３の上面よりも急な角度をもって傾斜したガイド部分１２ａと、そのガイド部分１２ａよりも下流端側を更に急な角度に折り曲げて上記給紙方向に沿って下流側に延びる延出部分１２ｂとから構成されている。
【００３０】
かかる板バネ部材１２は、記録用紙Ｋ（図１参照）の積載量が多いとき（５０枚以上）、その自重で板バネ部材１２のガイド部分１２ａが下方（図２下方）に退避し、傾斜角度が緩やかなセット台１３の上面に記録用紙Ｋの先端が当接する。そして、記録用紙Ｋの自重によって最上層の記録用紙Ｋが給紙ローラ１１側（図２（ａ）右側）に押圧され、給紙ローラ１１の回転により給紙される。一方、積載量が少ないとき（数枚ぐらい）、板バネ部材１２のガイド部分１２ａが上方に復帰するので、板バネ部材１２のガイド部分１２ａに記録用紙Ｋの先端が当接する。これにより、板バネ部材１２のガイド部分１２ａによって、最上位の記録用紙Ｋが給紙ローラ１１側に付勢されるので、記録用紙Ｋの積載量が少なくなっても、最上層の記録用紙Ｋが給紙ローラ１１側に押圧され給紙ローラ１１の回転により給紙される。従って、記録用紙Ｋ（図１参照）の積載量の変動に応じて、セット台１３の上面又は板バネ部材１２のガイド部分１２ａにより、記録用紙Ｋの空送を防止でき、記録用紙Ｋの積載量の変動に応じて記録用紙Ｋを安定して給紙できる。
【００３１】
セット台１３は、記録用紙Ｋ（図１参照）の下端を上面で支持する箱型の部材であり、その内部にコイルバネ１４を収容した状態で凹部２ｃに配置される。よって、セット台１３はコイルバネ１４により移動可能に構成されている。セット台１３を凹部２ｃに配置するには、図２（ｂ）に示すように、セット台１３の内部にコイルバネ１４を収容し、そのコイルバネ１４を圧縮した状態で、セット台１３及びコイルバネ１４を本体２の上方（図２上方）から本体２の凹部２ｃに挿入する。
【００３２】
図２（ａ）に示すように、セット台１３及びコイルバネ１４が本体２の凹部２ｃに挿入され配置されると、セット台１３の内部に収容されたコイルバネ１４がその弾性反発力により伸長するので、セット台１３は給紙ローラ１１側に付勢される。なお、セット台１３及び凹部２ｃの具体的な構成については、図３を参照して、後に詳しく説明する。
【００３３】
図２（ｂ）に示すように、分離パッド１５は、上述した給紙ローラ１１及びセット台１３と共働して複数枚の記録用紙Ｋを一枚毎に分離する部材であって、給紙ローラ１１と対向する上面にはシリコン等の表面摩擦係数が最適な合成樹脂等で形成されたゴム製部材が敷設されている。また、分離パッド１５は記録用紙Ｋの給紙方向下流端（図２（ｂ）の下端）を支点として上流端側が揺動可能に設けられる。よって、給紙ローラ１１および分離パッド１５により、傾斜した姿勢の状態で用紙トレイ５（図１参照）に積載される複数枚の記録用紙Ｋから印刷装置７（図１参照）に給紙される最上層の記録用紙Ｋが確実に分離される。
【００３４】
さらに、図３及び図４を参照して、セット台１３及び本体２の凹部２ｃについて説明する。図３（ａ）は、給紙ローラ１１と一対のセット台１３とが給紙ローラ１１の軸方向視で重なる初期位置に位置するファクシミリ装置１の上面図であり、図３（ｂ）は、セット台１３の上面図であり、図３（ｃ）は、図３（ｂ）のＩＩＩｃ方向から視たセット台１３の側面図であり、図３（ｄ）は、図３（ｃ）のＩＩＩｄ―ＩＩＩｄ線におけるセット台１３の断面図である。図４（ａ）は、セット台１３が初期位置に移動した状態を示すファクシミリ装置１の上面図であり、図４（ｂ）は、セット台１３が給紙ローラ１１と離間する方向に移動した状態を示すファクシミリ装置１の上面図であり、図４（ｃ）は、ＩＶｃ―ＩＶｃ線におけるファクシミリ装置１の断面図であり、図４（ｄ）は、ＩＶｄ―ＩＶｄ線におけるファクシミリ装置１の断面図である。また、図３（ａ）には、回転軸１１ａに直交し給紙ローラ１１の両端面から等しい距離に設定される中心線Ｌ１が一点鎖線で図示され、図４（ａ）及び図４（ｃ）には、給紙ローラ１１の軸心Ｏ１を通る軸線Ｌ２が一点鎖線で図示されている。
【００３５】
図３（ａ）に示すように、セット台１３は、板バネ部材１２の両側にそれぞれ同じものが配置され、かかる一対のセット台１３は、給紙ローラ１１の中心線Ｌ１に対して対称に配置される。以下、一対のセット台１３のうち、一方のセット台１３について説明し、他方のセット台１３についての説明は省略する。
【００３６】
図３（ｂ）から図３（ｄ）に示すように、セット台１３は、記録用紙Ｋの下端を支持する上壁１３ａと、その上壁１３ａの回転軸１１ａの軸方向（図３（ａ）左右方向）における両端部からそれぞれ垂下する一対の対向壁１３ｃと、上壁１３ａの給紙ローラ１１側（図３（ａ）下側）の縁部から垂下し一対の対向壁１３ｃに連結される側壁１３ｂとで形成され、側壁１３ｂに対向する対向面に開口１３ｂ１が形成される。
【００３７】
図３（ａ）から図３（ｄ）に示すように、一対の対向壁１３ｃは同様に構成され、その各対向壁１３ｃから複数のリブ１３ｃ４，１３ｃ５，１３ｃ６が給紙ローラ１１の回転軸１１ａの軸方向（図３（ａ）左右方向）に突設される。複数のリブ１３ｃ４，１３ｃ５，１３ｃ６は、給紙ローラ１１と最も近い位置に配置される前側抜止リブ１３ｃ４と、給紙ローラ１１から最も離間する位置に配置される後側抜止リブ１３ｃ６と、前側抜止リブ１３ｃ４及び後側抜止リブ１３ｃ６の間に配置されるセット側係合リブ１３ｃ５とで構成される。
【００３８】
図３（ａ）から図３（ｄ）に示すように、前側抜止リブ１３ｃ４及び後側抜止リブ１３ｃ６は、セット台１３の長手方向（図３（ａ）から図３（ｄ）上下方向）に延設され、セット側係合リブ１３ｃ５は、セット台１３の長手方向と直交する上下方向（図３（ａ）、図３（ｂ）及び図３（ｄ）左右方向）に延設される。また、上壁１３ａ及び対向壁１３ｃの長手方向（図３（ａ）上下方向）の長さは、コイルバネ１４の伸張状態におけるコイルバネ１４の長さより短く形成されている。さらに、セット台１３を本体２の凹部２ｃに配置した状態において、セット台１３及び後述する凹部２ｃの立壁２ｃ２の間に隙間が形成されている。よって、セット台１３は、本体２の凹部２ｃにセット台１３の長手方向で移動可能な状態で配置されている。
【００３９】
また、上壁１３ａの上面は、給紙ローラ１１側（図３（ａ）下側）に向かって下降傾斜するように形成される。よって、セット台１３の上壁１３ａに支持される記録用紙Ｋ（図１参照）の自重が給紙ローラ１１側に作用する。従って、給紙ローラ１１を回転させることで上層側の記録用紙Ｋが給紙されるのに伴って、給紙される記録用紙Ｋと接触する下層の記録用紙Ｋが給紙ローラ１１側に移動するように構成されている。
【００４０】
図３（ａ）に示すように、セット台１３が配置される本体２の凹部２ｃは、セット台１３が載置されるベース２ｃ１と、ベース２ｃ１の給紙ローラ１１とは反対側の縁部から立設する立壁２ｃ２と、立壁２ｃ２の両端から給紙ローラ１１側（図３（ａ）下側）に向かって延設される一対の側縦壁２ｃ３とで形成される凹みであって、給紙ローラ１１側（図３（ａ）下側）及び上側（図３（ａ）紙面手前側）が開放して形成されている。
【００４１】
一対の側縦壁２ｃ３は、セット台１３の一対の側壁１３ｂとそれぞれ対向配置されており、一対の側縦壁２ｃ３から複数のリブ２ｃ４，２ｃ５，２ｃ６が突設される。複数のリブ２ｃ４，２ｃ５，２ｃ６は、給紙ローラ１１と最も近い位置に配置される前側押さえリブ２ｃ４と、給紙ローラ１１から最も離間する位置に配置される後側押さえリブ２ｃ６と、前側押さえリブ２ｃ４及び後側押さえリブ２ｃ６の間に配置される本体側係合リブ２ｃ５とで構成される。前側押さえリブ２ｃ４及び後側押さえリブ２ｃ６は、側縦壁２ｃ３の上端からセット台１３の長手方向（図３（ａ）上下方向）に延設され、本体側係合リブ２ｃ５は、側縦壁２ｃ３の下端から上端に渡ってセット台１３の長手方向と直交する上下方向（図３（ａ）紙面手前から奥方向）に延設される。
【００４２】
図３（ａ）に示すように、コイルバネ１４を内部に収容したセット台１３は、セット台１３のセット側係合リブ１３ｃ５が本体側係合リブ２ｃ５と後側押さえリブ２ｃ６との間に位置するように、コイルバネ１４を圧縮した状態で、本体２の上方（図３（ａ）上方）から挿入され、本体２の凹部２ｃに配置される。セット台１３が本体２の凹部２ｃに配置されると、セット台１３の内部に収容され前端（図３（ａ）上端）が側壁１３ｂの内面に当接し後端（図３（ａ）下端）が凹部２ｃの立壁２ｃ２に当接するコイルバネ１４が伸長する。よって、かかる伸長されたコイルバネ１４によりセット台１３は給紙ローラ１１側（図３（ａ）下側）に付勢される。
【００４３】
給紙ローラ１１側に付勢されたセット台１３は、セット側係合リブ１３ｃ５が本体側係合リブ２ｃ５とそれぞれ当接し係合することにより、その移動が規制され、給紙ローラ１１の軸方向視で給紙ローラ１１と重なる初期位置に配置される。よって、セット台１３が初期位置に配置された状態では、給紙ローラ１１とセット台１３との間に記録用紙Ｋの下端が入り込まないようになっている。
【００４４】
また、セット台１３が初期位置に配置されると、前側抜止リブ１３ｃ４及び後側抜止リブ１３ｃ６が、前側押さえリブ２ｃ４及び後側押さえリブ２ｃ６と上下方向（図３（ａ）紙面手前から奥方向）で重なるように配置される。よって、給紙ローラ１１側（図３（ａ）下側）に付勢されたセット台１３を本体２の凹部２ｃから取り出そうとしても、前側抜止リブ１３ｃ４及び後側抜止リブ１３ｃ６が前側押さえリブ２ｃ４及び後側押さえリブ２ｃ６と干渉するので、セット台１３を本体２の凹部２ｃから取り出せない。よって、セット台１３が給紙ローラ１１側に付勢されている場合において、セット台１３が本体２の凹部２ｃから外れることを防止できる。
【００４５】
一方、コイルバネ１４を圧縮させ、セット台１３を給紙ローラ１１から離間する方向（図３（ａ）上方向）に移動させると、前側抜止リブ１３ｃ４及び後側抜止リブ１３ｃ６が、前側押さえリブ２ｃ４及び後側押さえリブ２ｃ６と上下方向で重ならないように配置される。よって、本体２の凹部２ｃからセット台１３を取り出すことができ、コイルバネ１４の交換等のメンテナンス性を向上できる。
【００４６】
図４を参照して、コイルバネ１４の伸縮によりセット台１３が移動する様子について説明する。図４（ａ）から図４（ｄ）に示すように、セット台１３は、上述したように、コイルバネ１４の伸縮によってセット台１３の長手方向（図４（ａ）から図４（ｄ）左右方向）で移動可能に構成される。
【００４７】
図４（ａ）及び図４（ｃ）に示すように、セット台１３が本体２の凹部２ｃに挿入され配置されると、一対のセット台１３は、その内部に収容されるコイルバネ１４が伸長することにより、給紙ローラ１１側（図４（ａ）右側）に移動し付勢される。給紙ローラ１１側に付勢された一対のセット台１３は、セット側係合リブ１３ｃ５が本体側係合リブ２ｃ５に当接して係合することにより位置決めされ、一対のセット台１３の先端が給紙ローラ１１の軸方向視で給紙ローラ１１と重なる初期位置に配置される。よって、一対のセット台１３は、給紙ローラ１１の回転軸１１ａの軸心Ｏ１との間に距離ｔ１を空けて配置される。
【００４８】
一方、図４（ｂ）及び図４（ｄ）に示すように、給紙ローラ１１を回転させることで記録用紙Ｋが給紙ローラ１１から押圧される圧力に応じて、一対のセット台１３の内部に収容されるコイルバネ１４が圧縮し、一対のセット台１３は給紙ローラ１１と離間する向（図４（ｄ）左方向）に移動する。給紙ローラ１１と離間する方向に移動したセット台１３は、回転軸１１ａの軸方向視でセット台１３の側壁１３ｂと給紙ローラ１１との間に隙間が形成されるように、給紙ローラ１１の回転軸１１ａの軸心Ｏ１との間に距離ｔ２を空けて配置される。
【００４９】
図４（ａ）から図４（ｄ）に示すように、本発明の実施の形態では、コイルバネ１４の伸縮により、給紙ローラ１１ではなく、一対のセット台１３を移動させている。よって、一対のセット台１３の内部にコイルバネ１４を収容して凹部２ｃに配置するだけで、セット台１３と給紙ローラ１１との重なり量（オーバラップ量）を変更できる。従って、給紙ローラ１１を移動させる場合のように給紙ローラ１１が回転するための回転機構（図示せず）を変更する必要がないので、簡単な構成（セット台１３の内部に収容されるコイルバネ１４）で、セット台１３と給紙ローラ１１との重なり量（オーバラップ量）を変更できるので、給紙装置１０の構成を簡易化できる。
【００５０】
ここで、給紙ローラ１１を一対のセット台１３に対して移動させることも可能であるが、かかる場合は、給紙ローラ１１を回転可能な状態で移動させなければならないので、給紙ローラ１１を移動させる移動機構が複雑化する。これに対して、セット台１３は記録用紙Ｋ（図１参照）を支持するために本体２の凹部２ｃに配置される部材なので、本体２の凹部２ｃをセット台１３の移動方向に大きく形成し、セット台１３の内部にコイルバネ１４を収容するだけで、セット台１３と給紙ローラ１１との重なり量（オーバラップ量）を変更できる。よって、簡易な構成でセット台１３と給紙ローラ１１との重なり量（オーバラップ量）を変更でき、給紙装置１０の構成を簡易化できる。
【００５１】
図４（ａ）から図４（ｄ）に示すように、コイルバネ１４が圧縮することによってセット台１３は初期位置から給紙ローラ１１に離間する方向へ移動するので、セット台１３と立壁２ｃ２との間にセット台１３の移動距離以上の隙間が必要とされる。かかる隙間を小さくすればするほど、ベース２ｃ１（凹部２ｃ）の小型化が図れるが、かかる隙間を小さくすると、セット台１３を移動させるコイルバネ１４の収容スペースも小さくなる。よって、コイルバネ１４の長さが短尺化し、コイルバネ１４の組み付け性が悪化する。
【００５２】
これに対して、セット台１３は、側壁１３ｂと立壁２ｃ２とに対向する面が開放され、コイルバネ１４の他端がセット台１３の側壁１３ｂの内面に連結されるので、コイルバネ１４をセット台１３の内部に収容できる。よって、ベース２ｃ１の立壁２ｃ２と一対のセット台１３との間の隙間を小さく設定した場合であっても、セット台１３の内部にコイルバネ１４を収容しない場合に比べて長尺のバネを使用できる。従って、ベース２ｃ１の立壁２ｃ２と一対のセット台１３との隙間を小さく設定してベース２ｃ１（凹部２ｃ）の小型化を図りつつ、セット台１３の内部のスペースを利用してコイルバネ１４の組み付け性を向上できる。
【００５３】
図４（ａ）から図４（ｄ）に示すように、給紙ローラ１１と離間する方向（図４（ｃ）左方向）に移動した一対のセット台１３が復帰（給紙ローラ１１側（図４（ａ）右側）に向けて移動）する場合に、セット側係合リブ１３ｃ５が給紙ローラ１１側に向けて移動する移動経路上に配置される本体側係合リブ２ｃ５に衝突することにより、一対のセット台１３の移動が規制される。よって、一対のセット台１３が初期位置より給紙ローラ１１側に移動することを防止できる。従って、セット台１３と給紙ローラ１１との重なり量（オーバラップ量）が初期位置の場合より大きくなるのを防止できるので、給紙ローラ１１によって記録用紙Ｋ（図１参照）を確実に給紙できる。
【００５４】
図５を参照して、用紙トレイ５（図１参照）に傾斜した姿勢の状態で積載される記録用紙Ｋが搬送される様子について説明する。図５（ａ）は、記録用紙Ｋが搬送される前の状態を示した給紙装置１０の断面図であり、図５（ｂ）は、支持された記録用紙Ｋのうち最上層の記録用紙Ｋが搬送される状態を示した給紙装置１０の断面図であり、図５（ｃ）は、図５（ｂ）のＶｃで示す部分を拡大した給紙装置の断面図であり、図５（ｄ）は、図５（ｃ）Ｖｄ―Ｖｄ線で示すファクシミリ装置１の断面図である。図５（ｄ）において、最上層の記録用紙Ｋのみを図示し、他の記録用紙Ｋの図示が省略されている。
【００５５】
図５（ａ）に示すように、用紙トレイ５（図１参照）に大量（１００枚ぐらい）の記録用紙Ｋが積載されると、傾斜した姿勢の状態で用紙トレイ５に積載される記録用紙Ｋのうち上層側の記録用紙Ｋの下端は、一対のセット台１３の上壁１３ａではなく給紙ローラ１１に当接する。このように記録用紙Ｋの下端が給紙ローラ１１に当接した場合であっても、コイルバネ１４がセット台１３を給紙ローラ１１側に付勢するので、一対のセット台１３は給紙ローラ１１と離間する方向に移動しないように本体２の凹部２ｃに配置されている。一方、給紙ローラ１１を回転させることで記録用紙Ｋが給紙ローラ１１から押圧される圧力によってコイルバネ１４の付勢力が減じられ、一対のセット台１３は給紙ローラ１１と離間する方向に移動するように構成される。
【００５６】
従来のようにセット台１３が移動しない場合は、上層側の記録用紙Ｋの下端が給紙ローラ１１に当接した状態で、かかる給紙ローラ１１が回転すると、給紙ローラ１１が記録用紙Ｋを押圧する圧力が大きくなり、上層側の記録用紙Ｋとその下層の記録用紙Ｋとの間に発生する摩擦力も大きくなる。これにより、給紙ローラ１１が記録用紙Ｋを押圧する圧力によっては、最上層の記録用紙Ｋを、下層の記録用紙Ｋから分離できず、最上層の記録用紙Ｋが給紙ローラ１１とセット台１３との間を通過できなくなる。よって、給紙ローラ１１が記録用紙Ｋの紙面上をスリップする空送又は給紙ローラ１１によって複数枚の記録用紙Ｋが最上層の記録用紙Ｋと共に給紙される重送が発生してしまう。
【００５７】
これに対し、本発明の実施の形態では、上述したように、一対のセット台１３が給紙ローラ１１を回転させることで記録用紙Ｋが給紙ローラ１１から押圧される圧力に応じて移動できるように、コイルバネ１４の付勢力が設定されている。よって、図５（ｂ）に示すように、給紙ローラ１１が反時計回りに回転すると、給紙ローラ１１を回転させることで、給紙ローラ１１に当接する上層側の記録用紙Ｋが給紙ローラ１１から押圧される圧力がコイルバネ１４の付勢力より大きくなり、かかる圧力に応じて、一対のセット台１３の内部に収容されるコイルバネ１４が圧縮する。
【００５８】
そのバネの圧縮によって一対のセット台１３は給紙ローラ１１とは反対側（図５（ｄ）側）に移動されるので、セット台１３と給紙ローラ１１との重なり量（オーバラップ量）が消滅し、セット台１３と給紙ローラ１１との間に隙間が発生する。よって、図５（ｃ）に示すように、セット台１３の側壁１３ｂは、給紙ローラ１１との間に距離ｔ３を空けた位置に配置される。また、一対のセット台１３の移動と共に一対のセット台１３で下端が支持される記録用紙Ｋは、給紙ローラ１１と離間する方向に移動するので、上述した最下層の記録用紙Ｋと用紙トレイ５との間に形成される隙間が消滅し、最下層の記録用紙Ｋと用紙トレイ５とが当接する。
【００５９】
図５（ｃ）に示すように、給紙ローラ１１に当接する上層側の記録用紙Ｋは、セット台１３の側壁１３ｂ及びその側壁１３ｂと距離ｔ３を空けて配置される給紙ローラ１１の間の隙間に配置される。かかる上層側の記録用紙Ｋは、図４（ｄ）に示すように、セット台１３の移動しない場合に比べて殆ど変形することなく給紙ローラ１１と一対のセット台１３との間の隙間に入り込むので、給紙ローラ１１によって記録用紙Ｋを押圧する圧力が小さくなる。
【００６０】
これにより、最上層の記録用紙Ｋとその記録用紙Ｋと接する下層の記録用紙Ｋとの間に発生する紙間の摩擦力が小さくなるので、給紙ローラ１１によって最上層の記録用紙Ｋを下層の記録用紙Ｋから分離できる。結果として、用紙トレイ５に大量の記録用紙Ｋが積載された場合であっても給紙ローラ１１の空送または重送を防止でき、給紙ローラ１１によって記録用紙Ｋを確実に給紙できる。
【００６１】
また、記録用紙Ｋが普通紙より厚い厚紙で構成されると、厚紙は普通紙に比べて変形し難いので、一対のセット台１３が初期位置に配置された状態のままでは、記録用紙Ｋは給紙ローラ１１と一対のセット台１３との間に変形しながらうまく入り込めない。これに対して、一対のセット台１３は、給紙ローラ１１を回転させることで記録用紙Ｋが給紙ローラ１１から押圧される圧力に応じて、コイルバネ１４により初期位置から給紙ローラ１１と離間する方向に移動される。よって、セット台１３と給紙ローラ１１との重なり量（オーバラップ量）が減少しセット台１３と給紙ローラ１１との間に隙間が発生するので、記録用紙Ｋは変形しなくても、給紙ローラ１１と一対のセット台１３との間に入り込むことができる。従って、記録用紙Ｋが厚紙等の場合であっても、給紙ローラ１１の空送を防止でき、給紙ローラ１１によって記録用紙Ｋを確実に給紙できる。
【００６２】
図５（ａ）及び図５（ｂ）に示すように、一対のセット台１３は、給紙ローラ１１を回転させることで記録用紙Ｋが給紙ローラ１１から押圧される圧力に応じて、コイルバネ１４によって（コイルバネ１４が圧縮されることによって）、初期位置から給紙ローラ１１と離間する方向（図５（ａ）及び図５（ｂ）左方向）に移動する。その給紙ローラ１１と離間する方向に移動した一対のセット台１３に上述した圧力がコイルバネ１４の付勢力より小さくなると、コイルバネ１４がその弾性復元力により伸長し、一対のセット台１３は給紙ローラ１１の軸方向視で給紙ローラ１１と重なる初期位置に復帰する。従って、コイルバネ１４の弾性復元力を利用して一対のセット台１３を復帰させるので、給紙ローラ１１と離間する方向に移動された一対のセット台１３を元の位置（初期位置）に戻すための機構を別途形成する必要がない。よって、給紙装置１０全体の構造を簡易化できる。
【００６３】
また、本発明の給紙装置１０によれば、用紙トレイ５（図１参照）に大量の記録用紙Ｋが積載された場合であっても給紙ローラ１１の空送または重送が発生するのを防止できるので、給紙ローラ１１によって記録用紙Ｋを確実に給紙できる。その確実に給紙された記録用紙Ｋに画像が印刷装置７（図１参照）によって記録されるので、印刷装置７によって記録される画像の品質を確保できる。
【００６４】
なお、記録用紙Ｋがセット台１３に対して移動できれば給紙ローラ１１に当接する記録用紙Ｋを給紙ローラ１１とセット台１３との間に配置できるが、用紙トレイ５（図１参照）に大量（１００枚ぐらい）の記録用紙Ｋが積載された場合、記録用紙Ｋが給紙ローラ１１から押圧される圧力に対して、記録用紙Ｋの下端と一対のセット台１３の上壁１３ａとの摩擦力の方が大きくなる。よって、記録用紙Ｋがセット台１３に対して移動せず、給紙ローラ１１に当接する記録用紙Ｋを給紙ローラ１１と離間する方向（図５（ａ）左方）にずらすことができない。これに対して、本発明の実施の形態では、一対のセット台１３にコイルバネ１４が連結され、給紙ローラ１１を回転させることで記録用紙Ｋが給紙ローラ１１から押圧される圧力がコイルバネ１４の付勢力を減じることによって、一対のセット台１３が給紙ローラ１１と離間する方向に移動可能に構成されている。よって、記記録用紙Ｋがセット台１３に対して移動させられない場合でも、給紙ローラ１１に当接する記録用紙Ｋを給紙ローラ１１とセット台１１との間に配置できる。
【００６５】
以上、実施の形態に基づき本発明を説明したが、本発明は上述した実施の形態に何ら限定されるものではなく、本発明の趣旨を逸脱しない範囲内で種々の改良変更が可能であることは容易に推察できるものである。
【００６６】
例えば、本実施の形態である給紙装置１０においては、セット台１３の内部にコイルバネ１４が収容されるが、必ずしもこれに限られるものではなく、セット台１３の外部にコイルバネを配置してもよい。
【００６７】
また、本実施の形態である給紙装置１０においては、一対のセット台１３を給紙ローラ１１と離間する方向に移動させたが、必ずしもこれに限られるものではなく、給紙ローラ１１を一対のセット台１３と離間する方向に移動させてもよい。
【００６８】
本実施の形態である給紙装置１０は、ファクシミリ装置１に適用されるが、必ずしもこれに限られるものではなく、プリンタに適用してもよい。
【００６９】
さらに、本実施の形態である給紙装置１０においては、一対のセット台１３が、給紙ローラ１１と給紙ローラ１１の軸心方向から視て重なる初期位置に配置される場合について説明したが、必ずしもこれに限られるものではなく、初期位置において給紙ローラ１１と一対のセット台１３との間に隙間が設定される場合であってもよい。この場合は、一対のセット台１３の移動により、一対のセット台１３と給紙ローラ１１との間の隙間が初期位置より大きくなってしまうので、給紙ローラ１１の回転により複数枚の記録用紙Ｋが給紙されることがある。しかしながら、給紙される複数枚の記録用紙Ｋが分離パッド１５により最終的に一枚に分離できる枚数となるようにコイルバネ１４の付勢力が設定されるので、給紙ローラ１１の重送および空送を確実に防止できる。
【００７０】
また、本実施の形態である給紙装置１０においては、一対のセット台１３が用紙トレイ５に傾斜した姿勢の状態で積載する複数枚の記録用紙Ｋを支持する場合を説明したが、必ずしもこれに限られるものではなく、一対のセット台１３が画像等の読み取りのために原稿台に積載される原稿Ｇを支持するものであってもよい。かかる場合は、年賀状の住所を読取装置で読み取る際に、給紙ローラの１１の空送及び重送を防止できるので、住所データを漏らすことなく読み取ることができる。
【符号の説明】
【００７１】
１    ファクシミリ装置
５      用紙トレイ
１０    給紙装置
１１    給紙ローラ
１３    セット台
１３ａ  上壁
１３ｂ  側壁
１４    コイルバネ（移動機構，弾性部材，コイルバネ）
２ｃ１  ベース
２ｃ２  後縦壁（立壁）
２ｃ５  本体側係合リブ（規制部材）
Ｋ      記録用紙
【図１】
2010235268.tif 000003
【図２】
2010235268.tif 000004
【図３】
2010235268.tif 000005
【図４】
2010235268.tif 000006
【図５】
2010235268.tif 000007